(57)【要約】【課題】  受信信号の品質に応じて最適な伝送メディアを選択し、複数の放送・通信システムに適用すると共に、利便性の向上を実現可能な無線端末及び伝送メディア切り替え方法を提供する。【解決手段】  受信信号品質判定部３１が、入力した受信信号レベルと保持している換算値とに基づいて新たな受信信号レベルを計算し、新たな受信信号レベルである品質情報を出力する。伝送メディア選択・制御部３２は、入力した品質情報及び保持している選択アルゴリズムや優先順位等の基準情報に基づいて、伝送メディアを選択する。また、変復調ソフトウェアを特定し、変復調ソフトウェア記憶部３３からソフトウェア無線変復調部１０，２０にダウンロードする。【選択図】  図１
2005333473.tif 000002
【特許請求の範囲】
【請求項１】
放送及び通信システムの信号を受信し、前記システムに適用する伝送メディアの変復調ソフトウェアを用いて、検波、復調等の一連の信号処理を行う変復調部を備え、当該変復調部から出力されるデータに基づいて所定のサービスを提供する無線端末において、
伝送メディア毎の複数の変復調ソフトウェアが記憶される記憶部と、前記信号の品質に関する判定情報を出力する判定部と、前記判定情報に基づいて伝送メディアを選択し、当該伝送メディアの変復調ソフトウェアを前記記憶部から変復調部に出力する選択制御部とを備えたことを特徴とする無線端末。
【請求項２】
請求項１に記載の無線端末において、
２以上の前記変復調部と、当該変復調部からそれぞれ出力されるデータを入力し、これらのデータのうちの一つのデータを出力する切り替え器とを備え、
前記判定部は、変復調部毎に判定情報を出力し、前記選択制御部は、それぞれの判定情報に基づいて伝送メディアを選択し、当該伝送メディアの変復調ソフトウェアを記憶部から変復調部に出力し、当該変復調ソフトウェア用いて信号処理が行われるように前記切り替え器を制御することを特徴とする無線端末。
【請求項３】
請求項１または２に記載の無線端末において、
前記選択制御部は、所定の品質を満たさない場合に、判定情報に基づいて新たな伝送メディアを選択することを特徴とする無線端末。
【請求項４】
請求項１または２に記載の無線端末において、
前記選択制御部は、判定情報に基づいて、予め設定されたアルゴリズムまたは優先順位により伝送メディアを選択することを特徴とする無線端末。
【請求項５】
請求項１または２に記載の無線端末において、
前記判定部は、受信信号レベル、受信信号レベルと所定のレベルとの比であるＣ／Ｎマージン、変復調部が出力するデータに関するビット誤り率、パケット誤り率、ビットレート及びパケットレートのうちの少なくとも一つを判定情報として出力することを特徴とする無線端末。
【請求項６】
放送及び通信システムの信号を受信し、前記システムに適用する伝送メディアの変復調ソフトウェアを用いて、検波、復調等の一連の信号処理を行う変復調部と、伝送メディア毎の複数の変復調ソフトウェアが記憶された記憶部とを備えた無線端末が、前記変復調部から出力されるデータに基づいて所定のサービスを提供する場合における前記伝送メディアの切り替え方法であって、
前記信号の品質に関する判定情報を出力するステップと、当該判定情報に基づいて伝送メディアを選択するステップと、当該選択した伝送メディアの変復調ソフトウェアを前記記憶部から変復調部に出力するステップと、当該変復調ソフトウェアを用いて前記信号処理を行うステップとを有することを特徴とする伝送メディア切り替え方法。
【発明の詳細な説明】
【技術分野】
【０００１】
本発明は、ソフトウェア無線技術を利用した放送・通信システムにおける変復調ソフトウェアのダウンロード方式に係り、特に、複数のメディアから最適な放送・通信メディアを選択し、その変復調ソフトウェアをダウンロードする無線端末に関する。
【背景技術】
【０００２】
ソフトウェア無線技術を利用した放送・通信システムにおける変復調ソフトウェアの従来のダウンロード方式には、例えば、単一の通信システムの中における手順に関するものがある（非特許文献１を参照。）。このダウンロード方式は、無線端末が、受信信号を検波し、復調し、パケット処理を施す一連の無線変復調処理を行う場合に、その変復調処理部に対して、予め決定されている単一の伝送メディアに対応した変復調ソフトウェアをダウンロードするものである。このダウンロード方式では、受信信号の品質の判定や最適な伝送メディアの選択は行っていない。すなわち、従来の無線端末は、単一の通信システムに適用するものであるため、複数の通信システムが連携する場合の具体的連携手段を備えておらず、例えば放送システムと通信システムとが連携する場合には適用できなかった。
【０００３】
【非特許文献１】「ソフトウェア無線における無線ダウンロード方式の一検討」、電気情報通信学会ソフトウェア無線研究会、２０００年４月、ＳＲ００−０７、ｐ．４７−５２
【発明の開示】
【発明が解決しようとする課題】
【０００４】
現在、ソフトウェア無線においては、放送・通信システムの下で、各種信号を受信し変復調処理可能な無線端末が検討されている。具体的には、それぞれの放送・通信システムに適用可能な変復調ソフトウェアを特定してダウンロードすることにより、無線端末のハードウェア構成を変更する必要がないという利点を有する無線端末が要望されている。このような無線端末は、最適な伝送メディア（無線通信の伝送方式／伝送路）を選択しそれに対応する変復調ソフトウェアをダウンロードすることにより、複数の放送・通信システムに対応した信号の受信が可能となるものである。これにより、放送・通信システムの利用者の利便性が向上することが期待される。そのためには、複数の放送・通信システムの下で最適な伝送メディアを選択する必要があり、それぞれのシステムを連携させる具体的な連携手段が必要となる。
【０００５】
そこで、本発明は上記に鑑みてなされたものであり、その目的は、ソフトウェア無線技術を利用した放送・通信システムにおいて、受信信号の品質に応じて最適な伝送メディアを選択することにより、複数の放送・通信システムに対応すると共に、利便性の向上を実現可能な無線端末及び伝送メディア切り替え方法を提供することにある。
【課題を解決するための手段】
【０００６】
上述の目的を達成するために、本発明の無線端末は、放送及び通信システムの信号を受信し、前記システムに適用する伝送メディアの変復調ソフトウェアを用いて、検波、復調等の一連の信号処理を行う変復調部を備え、当該変復調部から出力されるデータに基づいて所定のサービスを提供する無線端末において、伝送メディア毎の複数の変復調ソフトウェアが記憶される記憶部と、前記信号の品質に関する判定情報を出力する判定部と、前記判定情報に基づいて伝送メディアを選択し、当該伝送メディアの変復調ソフトウェアを前記記憶部から変復調部に出力する選択制御部とを備えたことを特徴とする。
【０００７】
また、本発明の無線端末は、２以上の前記変復調部と、当該変復調部からそれぞれ出力されるデータを入力し、これらのデータのうちの一つのデータを出力する切り替え器とを備え、前記判定部が、変復調部毎に判定情報を出力し、前記選択制御部は、それぞれの判定情報に基づいて伝送メディアを選択し、当該伝送メディアの変復調ソフトウェアを記憶部から変復調部に出力し、当該変復調ソフトウェア用いて信号処理が行われるように前記切り替え器を制御することを特徴とする。
【０００８】
また、本発明の無線端末は、前記選択制御部が、所定の品質を満たさない場合に、判定情報に基づいて新たに伝送メディアを選択することを特徴とする。また、前記選択制御部が、判定情報に基づいて、予め設定されたアルゴリズムまたは優先順位により伝送メディアを選択することを特徴とする。また、前記判定部が、受信信号レベル、受信信号レベルと所定のレベルとの比であるＣ／Ｎマージン、変復調部が出力するデータに関するビット誤り率、パケット誤り率、ビットレート及びパケットレートのうちの少なくとも一つを判定情報として出力することを特徴とする。
【０００９】
また、本発明の伝送メディアの切り替え方法は、放送及び通信システムの信号を受信し、前記システムに適用する伝送メディアの変復調ソフトウェアを用いて、検波、復調等の一連の信号処理を行う変復調部と、伝送メディア毎の複数の変復調ソフトウェアが記憶さた記憶部とを備えた無線端末が、前記変復調部から出力されるデータに基づいて所定のサービスを提供する場合における前記伝送メディアの切り替え方法であって、前記信号の品質に関する判定情報を出力するステップと、当該判定情報に基づいて伝送メディアを選択するステップと、当該選択した伝送メディアの変復調ソフトウェアを前記記憶部から変復調部に出力するステップと、当該変復調ソフトウェアを用いて前記信号処理を行うステップとを有することを特徴とする。
【発明の効果】
【００１０】
本発明によれば、ソフトウェア無線技術を利用した放送・通信システムにおいて、受信信号の品質に応じて最適な伝送メディアを選択することができ、複数の放送・通信システムに対応することができる。したがって、無線端末を所持する利用者は受信品質の良い放送・通信サービスを受けることが可能となると共に、利用者に対する利便性の向上を図ることが可能となる。
【発明を実施するための最良の形態】
【００１１】
以下、本発明の実施例について図面を参照して詳細に説明する。
〔第１の実施例〕
図１は、本発明の第１の実施例に係る無線端末１の構成を示すブロック図である。本無線端末１は、検波部１１、復調部１２及びパケット処理部１３を有する系統Ａのソフトウェア無線変復調部１０と、検波部２１、復調部２２及びパケット処理部２３を有する系統Ｂのソフトウェア無線変復調部２０と、系統切り替え器３４と、アプリケーション処理部３５と、受信信号品質判定部３１と、伝送メディア選択・制御部３２と、変復調ソフトウェア記憶部３３とを備えている。
【００１２】
ソフトウェア無線変復調部１０，２０は、それぞれ検波部１１，２１、復調部１２，２２及びパケット処理部１３，２３の信号処理の内容をソフトウェアにより変更することができるデバイス、例えばＤＳＰ（Ｄｉｇｉｔａｌ  Ｓｉｇｎａｌ  Ｐｒｏｃｅｓｓｏｒ）やＦＰＧＡ（Ｆｉｅｌｄ  Ｐｒｏｇｒａｍｍａｂｌｅ  Ｇａｔｅ  Ａｒｒａｙ）で構成されている。そのソフトウェアは、ソフトウェア無線変復調部１０，２０における信号処理の内容に対応した変復調ソフトウェアとして、変復調ソフトウェア記憶部３３に格納されている。伝送メディア選択・制御部３２は、後述する手法により伝送メディアを選択し、その選択結果に応じて変復調ソフトウェアを特定し、変復調ソフトウェア記憶部３３からソフトウェア無線変復調部１０，２０にダウンロードする。これにより、ソフトウェア無線変復調部１０，２０は、選択された伝送メディアに対応した変復調ソフトウェアを実行し、所定の信号処理を行う。このように、無線端末１はいわゆるソフトウェア無線端末であり、変復調ソフトウェアを変更することにより、１つのソフトウェア無線変復調部１０，２０とアプリケーション処理部３５とは、同じハードウェアにより異なる方式の伝送メディアで、複数の放送・通信システムの各種信号を受信することができる。
【００１３】
図１に示した無線端末１は、それぞれ同じ機能を有する検波部１１，２１、復調部１２，２２及びパケット処理部１３，２３を有する２系統（系統Ａ及び系統Ｂ）のソフトウェア無線変復調部１０，２０を備えている。ここでは、２系統のうち系統Ａのソフトウェア無線変復調部１０が放送・通信システムの信号を受信しており、系統Ｂのソフトウェア無線変復調部２０は予備系であるとする。ソフトウェア無線変復調部１０，２０は、伝送メディア選択・制御部３２により変復調ソフトウェア記憶部３３からそれぞれ異なる変復調ソフトウェアを入力し、その変復調ソフトウェアによる処理を行うことが可能な状態にあるものとする。
【００１４】
次に、無線端末１の各部の機能について詳細に説明する。ソフトウェア無線変復調部１０の検波部１１及びソフトウェア無線変復調部２０の検波部２１は、受信アンテナ（図示せず）からＲＦ（Ｒａｄｉｏ  Ｆｒｅｑｕｅｎｃｙ／高周波）信号及び周波数変換後のＩＦ（ｉｎｔｅｒｍｅｄｉａｔｅ  Ｆｒｅｑｕｅｎｃｙ）信号を入力し、ＲＦ信号等をベースバンド信号に変換して出力する。復調部１２，２２は、検波部１１，２１からベースバンド信号を入力し、デジタル復調を行い、ビットストリームを出力する。パケット処理部１３，２３は、復調部１２，２２からベースバンド信号を入力し、ＴＣＰ／ＩＰやＭＰＥＧ−２  ＴＳ（Ｔｒａｎｓｐｏｒｔ  Ｓｔｒｅａｍ）等による伝送パケット処理を行い、パケットを受信データとして出力する。
【００１５】
系統切り替え器３４は、パケット処理部１３，２３から受信データを入力し、伝送メディア選択・制御部３２から後述する切り替え信号を入力し、切り替え信号に基づいて系統の切り替えを行い、パケット処理部１３，２３から入力した受信データのうちのいずれか一方の受信データを出力する。アプリケーション処理部３５は、系統切り替え器３４から受信データを入力し、放送・通信サービスの内容に応じた処理を行い、アプリケーション部受信データとしてディスプレイ、ＶＴＲ、スピーカ等（図示せず）へ出力する。
【００１６】
受信信号品質判定部３１、伝送メディア選択・制御部３２及び変復調ソフトウェア記憶部３３の機能については、受信信号レベルを例にして詳細に説明する。検波部１１，２１は、入力したＲＦ信号等の受信信号レベルを受信信号品質判定部３１に出力する。受信信号品質判定部３１は、入力した受信信号レベルを換算するために、換算値の基準情報を保持している。換算値の基準情報とは、例えば、受信アンテナとソフトウェア無線変復調部１０，２０との間に設けられた高周波回路（図示せず）のフィルタ回路及び増幅器における信号振幅の利得である。その他、受信信号品質判定部３１への入力信号が周波数変換後のＩＦ信号やベースバンド信号である場合に換算処理を行うために、周波数変換回路（図示せず）による利得も換算値として保持している。そして、受信信号品質判定部３１は、検波部１１，２１から入力した受信信号レベルと保持している換算値とに基づいて、新たな受信信号レベルを計算し、新たな受信信号レベルを受信信号品質情報として伝送メディア選択・制御部３２に出力する。つまり、受信信号品質判定部３１は、系統Ａの品質情報と系統Ｂの品質情報とを受信信号判定情報として伝送メディア選択・制御部３２に出力する。
【００１７】
伝送メディア選択・制御部３２は、伝送メディアを選択するため基準情報として優先順位、選択アルゴリズム等を保持し、さらに受信信号の品質を判定するための基準情報として受信信号レベルの品質判定基準値を保持している。そして、受信信号品質判定部３１から系統Ａ及びＢにおける品質情報を入力し、当該系統Ａ，Ｂにおけるそれぞれの品質情報と保持している基準情報とに基づいて、伝送メディアを選択する。また、伝送メディア選択・制御部３２は、選択した伝送メディアに対応する変復調ソフトウェアを特定し、変復調ソフトウェア記憶部３３からソフトウェア無線変復調部１０またはソフトウェア無線変復調部２０に変復調ソフトウェアをダウンロードする。さらに、その変復調ソフトウェアがダウンロードされるソフトウェア無線変復調部１０またはソフトウェア無線変復調部２０へ系統を切り替えるための切り替え信号を系統切り替え器３４に出力する。
【００１８】
次に、図２を参照して、伝送メディアを選択するための選択アルゴリズムの処理フローについて、受信信号レベルを例にして説明する。尚、ソフトウェア無線変復調部１０，２０には、それぞれ異なる変復調ソフトウェアがダウンロードされ、それぞれの変復調ソフトウェアによる信号処理を行っており、系統切り替え器３４は、系統Ａのソフトウェア無線変復調部１０からの受信データをアプリケーション処理部３５に出力するように切り替えられているものとする。
【００１９】
まず、伝送メディア選択・制御部３２は、入力した系統Ａにおける品質情報である受信信号レベルと、保持している受信レベルの品質判定基準値とを比較する（ステップＳ１）。受信信号レベルが品質判定基準値以上である場合は、系統Ａにおける受信信号の品質は良好であるとして、新たな伝送メディアを選択しない（ステップ２）。これにより、無線端末１は、系統Ａのソフトウェア無線変復調部１０を用いて、現在選択している伝送メディアで、放送・通信システムの信号処理を継続して行う。
【００２０】
ステップ１において、系統Ａの受信信号レベルが品質判定基準値を下回っている場合は、入力した系統Ｂにおける品質情報である受信信号レベルと、受信信号レベルの品質判定基準値とを比較する（ステップＳ３）。受信信号レベルが品質判定基準値以上である場合は、系統Ｂにおける受信信号の品質は良好であるとして、系統Ａから系統Ｂに切り替えるための切り替え信号を系統切り替え器３４に出力する（ステップＳ４）。これにより、無線端末１は、系統Ｂのソフトウェア無線変復調部２０を用いて、系統Ａとは異なる伝送メディアで、放送・通信システムの信号処理を行う。
【００２１】
ステップ３において、系統Ｂの受信信号レベルが品質判定基準値を下回っている場合は、系統Ｂにおける受信信号の品質は良好でないとして、現状の伝送メディアとは異なる別の伝送メディアを選択する。そして、選択した伝送メディアに対応する変復調ソフトウェアを特定し、変復調ソフトウェア記憶部３３からＢ系統のソフトウェア無線変復調部２０にその変復調ソフトウェアをダウンロードする（ステップＳ５）。そして、ステップ３に戻り、再び、入力した系統Ｂの受信信号レベルと品質判定基準値とを比較する（ステップ３）。
【００２２】
このように、伝送メディア選択・制御部３２は、系統Ａの品質情報である受信信号レベルが品質判定基準値以上である場合は、系統Ａのソフトウェア無線変復調部１０が、放送・通信システムの信号処理を継続して行う。また、系統Ａの品質情報である受信信号レベルが品質判定基準値を下回っており、かつ系統Ｂの品質情報である受信信号レベルが品質判定基準値を下回っている限り、現状の伝送メディアとは異なる別の伝送メディアを選択し、選択した伝送メディアに対応する変復調ソフトウェアを特定し、変復調ソフトウェア記憶部３３からＢ系統のソフトウェア無線変復調部２０にその変復調ソフトウェアをダウンロードする処理を続ける。一方、系統Ｂの品質情報である受信信号レベルが品質判定基準値以上である場合は、系統Ａから系統Ｂに切り替えるための切り替え信号を系統切り替え器３４に出力する。これにより、系統Ａから系統Ｂに切り替えられ、系統Ｂのソフトウェア無線変復調部２０が、放送・通信システムの信号処理を行うことになる。
【００２３】
ここで、伝送メディア選択・制御部３２は、図２に示した選択アルゴリズムに基づいて伝送メディアを選択するだけでなく、保持している優先順位に基づいて伝送メディアを選択することもできる。この場合、優先順位は、受信信号レベル、通信費等の通信コスト、伝送ビットレート、放送・通信システムのサービスエリアの広さ等を基準にして、それらを単独にまたは複数組み合せることにより順位付けがされる。また、優先順位は、例えば、入力した品質情報が複数存在する場合にはそれぞれに順位付けがされる。この順位付けは、無線端末１を所持して放送・通信サービスの提供を受ける利用者が自由に設定する。
【００２４】
〔第２の実施例〕
図３は、本発明の第２の実施例に係る無線端末５１の構成を示すブロック図である。本無線端末５１は、検波部６１、復調部６２及びパケット処理部６３を有する１系統のソフトウェア無線変復調部６０と、アプリケーション処理部７５と、受信信号品質判定部７１と、伝送メディア選択・制御部７２と、変復調ソフトウェア記憶部７３とを備えている。これらは、図１に示したソフトウェア無線変復調部１０，２０と、アプリケーション処理部３５と、受信信号品質判定部３１と、伝送メディア選択・制御部３２と、変復調ソフトウェア記憶部３３とにそれぞれ相当し、同等の機能を有する。図３の受信信号品質判定部７１、伝送メディア選択・制御部７２及び変復調ソフトウェア記憶部７３は、１系統の処理を行うのに対し、図１に示した受信信号品質判定部３１、伝送メディア選択・制御部３２及び変復調ソフトウェア記憶部３３は、２系統の処理を行う点で相違する。また、無線端末５１は、図１に示した系統切り替え器３４を備えていない点で相違する。
【００２５】
変復調ソフトウェア記憶部７３には、ソフトウェア無線変復調部６０における信号処理の内容に対応した複数の変復調ソフトウェアが格納されている。無線端末５１はいわゆるソフトウェア無線端末であり、変復調ソフトウェアを変更することにより、１つのソフトウェア無線変復調部６０とアプリケーション処理部７５とは、同じハードウェアにより異なる方式の伝送メディアで、複数の放送・通信システムの各種信号を受信することができる。ここでは、ソフトウェア無線変復調部６０は、伝送メディア選択・制御部７２により変復調ソフトウェア記憶部７３から所定の変復調ソフトウェアを入力し、その変復調ソフトウェアによって信号処理を行っているものとする。
【００２６】
以下、受信信号レベルを例にして、受信信号品質判定部７１、伝送メディア選択・制御部７２及び変復調ソフトウェア記憶部７３の機能について詳細に説明する。受信信号品質判定部７１は、図１に示した受信信号品質判定部３１と同等の処理を以下のように行う。受信信号品質判定部７１は、検波部６１から入力した受信信号レベルと、予め保持している換算値とに基づいて、新たな受信信号レベルを計算する。そして、受信信号品質判定部７１は、新たな受信信号レベルである品質情報を受信信号判定情報として伝送メディア選択・制御部７２に出力する。
【００２７】
伝送メディア選択・制御部７２は、伝送メディアを選択するための優先順位、選択アルゴリズム等の基準情報、及び受信信号の品質を判定するための品質判定基準値の基準情報を保持している。そして、受信信号品質判定部７１から品質情報を入力し、当該品質情報と、保持している基準情報とに基づいて、伝送メディアを選択する。そして、伝送メディア選択・制御部７２は、選択した伝送メディアに対応する変復調ソフトウェアを特定し、変復調ソフトウェア記憶部７３からソフトウェア無線変復調部６０に変復調ソフトウェアをダウンロードする。
【００２８】
次に、伝送メディアを選択するための選択アルゴリズムの処理フローについて説明する。伝送メディア選択・制御部７２は、入力した品質情報である受信信号レベルと、保持している品質判定基準値とを比較する。受信信号レベルが品質判定基準値以上である場合は、受信信号の品質は良好であるとして、新たな伝送メディアを選択しない。これにより、無線端末５１は、ソフトウェア無線変復調部６０を用いて、現在選択している伝送メディアで、放送・通信システムの信号処理を継続して行う。
【００２９】
受信信号レベルが品質判定基準値を下回っている場合は、受信信号の品質は良好でないとして、現状の伝送メディアとは異なる別の伝送メディアを選択する。そして、伝送メディア選択・制御部７２は、選択した伝送メディアに対応する変復調ソフトウェアを特定し、変復調ソフトウェア記憶部７３からソフトウェア無線変復調部６０にその変復調ソフトウェアをダウンロードする。これにより、無線端末５１は、ソフトウェア無線変復調部６０を用いて、新たな伝送メディアで、放送・通信システムの信号処理を行う。
【００３０】
このように、伝送メディア選択・制御部７２は、品質情報である受信信号レベルが品質判定基準値以上である場合は、新たな伝送メディアを選択することなく、現状の伝送メディアにより、ソフトウェア無線変復調部６０が信号処理を継続して行う。また、受信信号レベルが品質判定基準値を下回っている限り、現状の伝送メディアとは異なる別の伝送メディアを選択し、選択した伝送メディアに対応する変復調ソフトウェアを特定し、変復調ソフトウェア記憶部７３からソフトウェア無線変復調部６０にその変復調ソフトウェアをダウンロードする処理を続ける。
【００３１】
尚、伝送メディア選択・制御部７２は、前述した選択アルゴリズムに基づいて伝送メディアを選択するだけでなく、第１の実施例と同様に、保持している優先順位に基づいて伝送メディアを選択することもできる。
【００３２】
以上のように、本発明の第１及び２の実施例によれば、受信信号品質判定部３１，７１が受信信号レベルを換算して得た新たな受信信号レベルを品質情報として出力し、伝送メディア選択・制御部３２，７２がその品質情報と基準情報とに基づいて伝送メディアを選択するようにした。これにより、受信信号の品質に応じた最適な伝送メディアを選択することが可能となる。
【００３３】
また、本発明の第１及び２の実施例によれば、変復調ソフトウェア記憶部３３，７３が、複数の放送・通信システムに適用可能であって、その伝送メディアに対応する複数の変復調ソフトウェアを記憶し、伝送メディア選択・制御部３２，７２が、変復調ソフトウェアを特定し、変復調ソフトウェア記憶部３３，７３からソフトウェア無線変復調部１０，２０，６０にダウンロードするようにした。これにより、ソフトウェア無線変復調部１０，２０，６０はその変復調ソフトウェアに従って信号処理を行うから、無線端末１，５１は複数の放送・通信システムに適用することが可能となる。したがって、例えば、無線端末１，５１を所持する利用者が放送・通信システムによるサービスエリア外に出てしまった場合には、他の放送・通信システムによるサービスを受けることができるから、伝送メディアを意識することなく様々なサービスを受けることが可能となる。
【００３４】
また、本発明の第１及び２の実施例によれば、伝送メディア選択・制御部３２，７２が、利用者により設定される優先順位に基づいて伝送メディアを選択するようにした。これにより、利用者の希望に沿う優先順位とすることができるから、利用者の希望に応じた伝送メディアを選択することが可能となる。
【００３５】
また、本発明の第１の実施例によれば、系統Ａのソフトウェア無線変復調部１０及び系統Ｂのソフトウェア無線変復調部２０により、それぞれダウンロードされた変復調ソフトウェアを用いて信号処理を行っている状態の下で、伝送メディア選択・制御部３２が系統切り替え器３４に系統を切り替えるための信号を出力するようにした。これにより、信号処理は中断することがないから、瞬時にかつシームレスに系統の切り替えが可能となる。
【００３６】
尚、上記第１の実施例では、無線端末１に備えたソフトウェア無線変復調部の系統を、系統Ａ，Ｂの２系統とし、系統毎に単独に信号処理を行うようにしたが、本発明はこれに限定されるものではない。例えば、２系統のうちのいずれか１系統のみが信号処理を行うようにしてもよく、３系統以上のソフトウェア無線変復調部を備えるようにしてもよい。
【００３７】
また、上記第１及び２の実施例では、受信信号品質判定部３１，７１が、ソフトウェア無線変復調部１０，２０，６０の検波部１１，２１，６１から受信信号レベルを入力し、当該受信信号レベルを換算して新たな受信信号レベルを計算し、その新たな受信信号レベルを受信信号の品質に関する品質情報として出力するようにしたが、本発明はこれに限定されるものではない。例えば、復調部１２，２２，６２からビットストリームを、パケット処理部１３，２３，６３から受信データをそれぞれ入力し、これらの情報を換算し、品質情報として出力するようにしてもよい。この場合、受信信号品質判定部３１，７１は、それぞれの情報に対応する換算値を保持する必要があり、伝送メディア選択・制御部３２，７２は、品質判定基準値を保持する必要がある。また、受信信号の品質情報は、前述の受信信号レベル、ビットストリーム及び受信データの他に、電力、レベル変動、周波数スペクトルの形状、周波数スペクトルの変動等に基づいて算出するようにしてもよい。この場合も、受信信号品質判定部３１，７１はそれぞれの情報に対する換算値を保持する必要があり、伝送メディア選択・制御部３２，７２は品質判定基準値を保持する必要がある。判定のために必要な情報は、ソフトウェア無線変復調部１０，２０，６０以外の系統切り替え器３４、アプリケーション処理部３５，７５等の各処理部から入力するようにしてもよい。
【００３８】
また、受信信号品質判定部３１，７１及び伝送メディア選択・制御部３２，７２は、受信信号レベルと伝送メディアの所要レベルとの比であるＣ／Ｎマージン、ソフトウェア無線変復調部１０，２０の信号処理の結果から計算されるビット誤り率並びにパケット誤り率、ソフトウェア無線変復調部１０，２０及びアプリケーション処理部３５，７５の処理後のデータから計算されるビットレート並びにパケットレートのうちの一つまたはこれらの組み合せを品質情報として扱うようにしてもよい。
【００３９】
また、伝送メディア選択・制御部３２，７２は、複数の伝送メディアの中からランダムに伝送メディアを選択し、変復調ソフトウェア記憶部３３，７３に保持されている複数の変復調ソフトウェアの中からランダムに変復調ソフトウェアを特定するようにしてもよい。また、ソフトウェア無線変復調部１０，２０が使用していない伝送メディアを選択し、変復調ソフトウェアを特定するようにしてもよい。
【００４０】
また、上記第１の実施例では、伝送メディア選択・制御部３２が、図２に示した選択アルゴリズムにしたがって伝送メディアを選択し、変復調ソフトウェアをソフトウェア無線変復調部１０，２０にダウンロードするようにしたが、単に、系統Ａ及びＢの中から受信信号の品質の良好な系統を選択し、その系統で信号処理を行うように、切り替え信号を系統切り替え器３４へ出力するようにしてもよい。これにより、変復調ソフトウェアをダウンロードすることなく、受信品質の良好な伝送メディアを使用することが可能となる。
【００４１】
また、上記第２の実施例では、伝送メディア選択・制御部７２が、受信信号の品質に基づいて前述の選択アルゴリズムにより、伝送メディアを選択し変復調ソフトウェアをダウンロードするようにし、ソフトウェア無線変復調部６０が常に受信データをアプリケーション処理部７５に出力するようにしたが、受信信号の品質が良好な場合にのみ、受信データを出力するようにしてもよい。これにより、アプリケーション処理部７５は、受信信号の品質が良好な場合にのみ、受信データを入力して所定の処理を行うことができるから、利用者は品質の高いサービスを受けることが可能となる。
【００４２】
以上、実施例を挙げて本発明を説明したが、上記の説明は、本発明の理解を助けるものであって、本発明の特許請求の範囲を制限するものではない。従って、本発明の要旨を逸脱しない限り、種々変形が可能であり、本発明の目的を達し、効果を奏する範囲において、適宜変更することが可能である。
【図面の簡単な説明】
【００４３】
【図１】本発明の第１の実施例に係る無線端末の構成を示すブロック図である。
【図２】図１の無線端末における伝送メディアの選択アルゴリズムを説明するフロー図である。
【図３】本発明の第２の実施例に係る無線端末の構成を示すブロック図である。
【符号の説明】
【００４４】
１，５１  無線端末
１０，２０，６０  ソフトウェア無線変復調部
１１，２１，６１  検波部
１２，２２，６２  復調部
１３，２３，６３  パケット処理部
３１，７１  受信信号品質判定部
３２，７２  伝送メディア選択・制御部
３３，７３  変復調ソフトウェア記憶部
３４  系統切り替え器
３５，７５  アプリケーション処理部
【図１】
2005333473.tif 000003
【図２】
2005333473.tif 000004
【図３】
2005333473.tif 000005